(57)【要約】【課題】本体装置のドアへの取り付けを簡単にかつ十分な固定強度をもって行うことができ、しかも、ドアフレーム側に取り付けられるストライカも容易に望ましい位置、姿勢に設置でき、かつ、設置場所の制限を大幅に緩和できるドアロック装置を提供する。【解決手段】発信器と、該発信器からの信号を受信し、ドアロック用シャフトをその軸方向に進退させる本体装置と、シャフトが挿通されて係合されるロック穴を備えたストライカとを有するドアロック装置であって、本体装置をドアに取り付ける該本体装置の基板が該本体装置の外側に向けて延設されており、該延設部に、基板をドアに取り付けるための取り付け手段が挿入される取り付け穴が設けられているドアロック装置。【選択図】図１
2005248611.tif 000002
【特許請求の範囲】
【請求項１】
ドア開閉用電波信号を発信する発信器と、該発信器からの信号を受信し、ドアロック用シャフトをその軸方向に進退させる本体装置と、前記シャフトが挿通されて係合されるロック穴を備えたストライカとを有するドアロック装置であって、前記本体装置をドアに取り付ける該本体装置の基板が該本体装置の外側に向けて延設されており、該延設部に、前記基板をドアに取り付けるための取り付け手段が挿入される取り付け穴が設けられていることを特徴とするドアロック装置。
【請求項２】
前記取り付け手段がポップリベットからなる、請求項１のドアロック装置。
【請求項３】
ドア開閉用電波信号を発信する発信器と、該発信器からの信号を受信し、ドアロック用シャフトをその軸方向に進退させる本体装置と、前記シャフトが挿通されて係合されるロック穴を備えたストライカとを有するドアロック装置であって、前記ロック穴が、前記ストライカに、互いに直交する２方向に延びる各穴として設けられていることを特徴とするドアロック装置。
【請求項４】
前記ロック穴が、前記ストライカに、互いに直交する２方向に延びる各穴として設けられている、請求項１または２のドアロック装置。
【請求項５】
ドア開閉用電波信号を発信する発信器と、該発信器からの信号を受信し、ドアロック用シャフトをその軸方向に進退させる本体装置と、前記シャフトが挿通されて係合されるロック穴を備えたストライカとを有するドアロック装置であって、前記ロック穴が、前記ストライカに、斜めに延びる長穴として設けられていることを特徴とするドアロック装置。
【請求項６】
前記斜めに延びる長穴からなるロック穴が、前記ストライカに設けられている、請求項１〜４のいずれかに記載のドアロック装置。
【請求項７】
前記ロック穴の前記シャフトの挿入口側に面取りが施されている、請求項１〜６のいずれかに記載のドアロック装置。
【発明の詳細な説明】
【技術分野】
【０００１】
本発明は、電波によるリモコン操作によりドアのロック／ロック解除操作が可能なドアロック装置に関する。
【背景技術】
【０００２】
ＦＭ等の電波を発信器から発信し、その信号を、受信手段を備えた、ドアの内側に取り付けられた本体装置で受信し、受信信号に応じてシャフトをその軸方向に移動させ、ドアフレーム側に取り付けられたストライカと上記シャフトとの係合／係合解除を行わしめ、それによってドアのロック／ロック解除操作を可能としたドアロック装置が知られている（例えば、特許文献１）。このようなドアロック装置によれば、ドアに鍵穴を設ける必要がなくなり、いわゆるピッキング等に対して防犯処置を講じることができ、また、ドアの外側からの操作や遠隔操作が可能になるので、使用者にとって極めて便利な使い方が可能となる。
【０００３】
ところが、従来、この種のドアロック装置においては、上記本体装置をドアの内側に取り付ける際、本体装置の基板を、ドアを構成している板（内板）の表面にネジやビス等の固定手段を用いて取り付けるようにしているが、基板が本体装置の大きさとほぼ同等の大きさに形成されているため、固定手段による取り付けの際、本体カバーを外したり電池収納部を外したりして固定手段設置部を露出させた後、固定手段を用いて取り付ける必要があった。そのため、取り付け、固定に手間がかかり、取付け後の本体カバーや電池収納部等の復旧にも手間がかかることとなっていた。また、ネジ等の固定手段による固定では、十分な固定強度を達成できないおそれもあった。
【０００４】
また、例えばドアフレーム側に取り付けられる上記ストライカには、本体装置から進出してくるシャフトと係合してドアロック状態を達成するために、シャフトが挿通される係合穴が設けられているが、この穴が１箇所に（１方向に）しか設けられていないので、本体装置に対して、より具体的には本体装置からのシャフトの進退位置に対して、ストライカの穴を正確に位置決めした後該ストライカを固定しなければならない。ストライカを固定するドアフレーム側の形状によっては、ストライカを望ましい位置や姿勢に設けることが困難となる場合があり、そのような場合には、本体装置とともに、別の位置に設置し直さなければならない。したがって、設置に手間がかかるとともに、設置場所が制限されるおそれがあった。
【特許文献１】韓国特許第２６３９８１号公報
【発明の開示】
【発明が解決しようとする課題】
【０００５】
そこで本発明の課題は、上記のような従来装置における問題点に着目し、電波による遠隔操作が可能なドアロック装置において、本体装置のドアへの取り付けを簡単にかつ十分な固定強度をもって行うことができ、しかも、ドアフレーム側に取り付けられるストライカも容易に望ましい位置、姿勢に設置でき、かつ、設置場所の制限を大幅に緩和できるドアロック装置を提供することにある。
【課題を解決するための手段】
【０００６】
上記課題を解決するために、本発明に係るドアロック装置は、ドア開閉用電波信号を発信する発信器と、該発信器からの信号を受信し、ドアロック用シャフトをその軸方向に進退させる本体装置と、前記シャフトが挿通されて係合されるロック穴を備えたストライカとを有するドアロック装置であって、前記本体装置をドアに取り付ける該本体装置の基板が該本体装置の外側に向けて延設されており、該延設部に、前記基板をドアに取り付けるための取り付け手段が挿入される取り付け穴が設けられていることを特徴とするものからなる（第１の形態）。取り付け手段が挿入される取り付け穴が基板の延設部に設けられているので、従来装置のように本体カバーを取り外したり電池収納部を取り外したりすることなく、本体装置をそのままの形態で、容易にドアに取り付け、固定することが可能になる。
【０００７】
このドアロック装置において、上記取り付け手段としては、ポップリベットを用いることが好ましい。従来のネジやビス等からなる固定手段による取り付けでは固定強度が不十分となるおそれがあるが、ポップリベットを用いることにより、十分に高い固定強度が得られる。また、とくにドアは二重板構造になっていることが多く、その場合、内側に位置する板（内板）にのみ固定手段が貫通されて取り付けられるため、二重板間部分における固定手段の状態は確認することができないが、ポップリベットを用いれば、そのような未確認の内部部分があったとしても、リベットを内部で確実に膨らませることができ、高い信頼性と十分に高い強度をもって、確実に望ましい固定状態を得ることができる。
【０００８】
また、本発明に係るドアロック装置は、ドア開閉用電波信号を発信する発信器と、該発信器からの信号を受信し、ドアロック用シャフトをその軸方向に進退させる本体装置と、前記シャフトが挿通されて係合されるロック穴を備えたストライカとを有するドアロック装置であって、前記ロック穴が、前記ストライカに、互いに直交する２方向に延びる各穴として設けられていることを特徴とするものからなる（第２の形態）。ストライカには互いに直交する２方向に延びるロック穴が設けられるので、ストライカの取り付け位置、姿勢の自由度が大幅に向上され、本体装置との位置関係において、容易に望ましい位置、姿勢に取り付け、固定することが可能になる。
【０００９】
この第２の形態に係る構造は、前記第１の形態に係る構造と組み合わせて採用することができる。すなわち、前記第１の形態に係るドアロック装置において、ロック穴が、ストライカに、互いに直交する２方向に延びる各穴として設けられている構造である。
【００１０】
さらに、本発明に係るドアロック装置は、ドア開閉用電波信号を発信する発信器と、該発信器からの信号を受信し、ドアロック用シャフトをその軸方向に進退させる本体装置と、前記シャフトが挿通されて係合されるロック穴を備えたストライカとを有するドアロック装置であって、前記ロック穴が、前記ストライカに、斜めに延びる長穴として設けられていることを特徴とするものからなる（第３の形態）。本体装置とストライカの取り付け位置間に段差があったり、取り付け場所に何らかの制約があり所望の位置に本体装置あるいはストライカを取り付けることが困難である場合には、上記シャフトとストライカのロック穴との位置合わせが難しくなることがあるが、このような場合、ロック穴が斜めに延びる長穴として設けられていることにより、ストライカをいずれかの方向にスライドさせることにより、シャフトとストライカのロック穴とが容易に位置合わせできるようになり、その位置にストライカを固定できるようになる。したがって、本体装置とストライカの取り付け位置間に段差があるような場合にも、容易に所定の位置関係をもって取り付けることができるようになる。
【００１１】
この第３の形態に係る構造も、前記第１の形態または／および第２の形態に係る構造と組み合わせて採用することができる。すなわち、前記第１の形態または／および第２の形態に係るドアロック装置において、斜めに延びる長穴からなるロック穴が、ストライカに設けられている構造である。
【００１２】
このような本発明に係るドアロック装置においては、ロック穴の前記シャフトの挿入口側に面取りが施されていることが好ましい。これによって、ひっかかりなく、スムーズにシャフトがロック穴に対して出し入れされる。
【発明の効果】
【００１３】
本発明の第１の形態に係るドアロック装置によれば、本体装置を容易にドアに取り付け、固定することができ、第２の形態に係るドアロック装置によれば、ストライカの取り付け位置、姿勢の自由度を大幅に向上でき、その設置、ひいてはドアロック装置全体の設置を大幅に容易化できる。さらに、第３の形態に係るドアロック装置によれば、本体装置とストライカの取り付け位置間に段差があるような場合にも、容易に所定の位置関係をもって取り付けることができるようになる。これらの形態を組み合わせて採用すれば、それぞれの効果が併せ得られる。
【発明を実施するための最良の形態】
【００１４】
以下に、本発明の望ましい実施の形態を、図面を参照しながら説明する。
図１〜図３は、本発明の一実施態様に係るドアロック装置１を示しており、前述の第１の形態と第２の形態を組み合わせて採用した構成例を示している。図１において、ドアロック装置１は、本体装置２と、本体装置２にＦＭ等のドア開閉用（ロック／ロック解除用）電波信号を発信する発信器３と、ドアロック用シャフト５が挿通されて係合されるロック穴６を備えたストライカ４を有している。
【００１５】
発信器３は、電池（図示略）を内蔵しており、ＦＭ等のロック／ロック解除操作用の電波を発信できるようになっており、発信器３と、その信号を受信する本体装置２との間では、チューニングされ、固有の発信器３以外からの信号では動作しないように、その固有の発信器３が本体装置２内の回路に登録されている。これら発信器３の構造や、本体装置２における固有の発信器３の登録構成は、とくに限定されるものではなく、いずれの周知の技術も使用できる。
【００１６】
発信器３から発信されたロック／ロック解除操作用の電波は、本体装置２に付設されたアンテナ７で受信され、受信信号は、本体装置２内に組み込まれた回路８に送られる。回路８では、例えば、登録用操作孔９に細棒を突っ込む等の操作による事前登録された、固有の発信器３からの信号か否かが判定され、固有の発信器３からの信号である場合には、それを本ドアロック装置１におけるロック／ロック解除操作用の指令信号と判定する。この指令信号に基づき、シャフト５の駆動機構に作動信号を発する。シャフト５の駆動機構としては、シャフト５をその軸方向に進退作動させることができるものであれば、特に限定されない。本実施態様では、シャフト５の駆動源として、モータ１０が用いられており、モータ１０の出力軸の回転動作を、その出力軸に取り付けられたピニオン１１と、シャフト５の軸方向中央部に形成されたラック１２との係合機構を介して、シャフト５の軸方向の進退動作に変換できるようになっている。モータ１０は、可逆回転モータであってもよく、一方向に駆動力を出力するモータであってもよく、後者の場合には、モータによる移動方向と逆方向にシャフト５を移動させるときには、バネ等を用いてその弾性復元力を利用するようにすればよい。いずれの場合にも、シャフト５を両方向に移動制御できることになる。なお、図１における１３は、本体装置２の電池収納部を示しており、収納された電池（図示略）により、上記回路８やモータ１０に必要な電力が供給されるようになっている。
【００１７】
本体装置２は、図１、図２に示すように、該本体装置２をドア１４に取り付け、固定するための基板１５を有しており、この基板１５は、ドア１４の内面側に、とくに図２に示すようにドア１４が外板１６と内板１７との二重板構造となっている場合には、内板１７の内面側に取り付け、固定される。この基板１５には、本体装置２の外側に向けて延設された基板延設部１８が設けられており、この基板延設部１８に、基板１５をドア１４に取り付けるための取り付け手段が挿入される取り付け穴１９が設けられている。本実施態様では、取り付け穴１９は両基板延設部１８に、それぞれ複数設けられており、各取り付け穴１９には、基板１５をドア１４に取り付けるための取り付け手段として、ポップリベット２０（図２）が挿入される。ポップリベット２０は、各取り付け穴１９にされた後、所定の引抜き操作等により、内板１７内に挿通された部分が膨らむことができ、これによって、基板１５をドア１４に（内板１７に）強固に固定されることとなる。
【００１８】
取り付け穴１９が基板延設部１８に設けられているので、ポップリベット２０を挿通させるために電池収納部１３を開放したり、本体装置２のカバーを取り外したりして取り付け穴部を露出させるような作業は必要なく、本体装置２のドア１４への取り付け、固定は極めて容易に行われる。
【００１９】
上記本体装置２から進出されてきたシャフト５がストライカ４のロック穴６に挿入されることによりドア１４がロック状態とされ、その状態から、シャフト５が本体装置２へと引っ込められることにより、ドア１４のロックが解除される。このストライカ４は、例えばドアフレーム（図示略）側に取り付け、固定される。ストライカ４の本体装置２に対する相対取り付け位置関係は、上記のシャフト５のロック穴６への進退がスムーズに行われる位置関係に調整、設定される。
【００２０】
本実施態様では、図３の（Ａ）（正面図）、（Ｂ）（平面図）にも示すように、ストライカ４のロック穴６として、互いに直交する２方向に延びる各穴６ａ、６ｂが設けられている。互いに直交する２方向に延びる各ロック穴６ａ、６ｂを設けておくことにより、ストライカ４の本体装置２に対する取り付け姿勢としては、シャフト５がロック穴６ａに挿通される方向の姿勢とすることもでき、ロック穴６ｂに挿通される方向の姿勢とすることもできる。したがって、ストライカ４の取り付け姿勢の自由度が大幅に向上される。その結果、例えばいずれかの取り付け姿勢が採りずらい場合には他方の取り付け姿勢を採用すればよく、また、取り付け位置に何らかの制約がある場合にも、その制約を緩和できる、あるいは制約を無関係とすることのできる取り付け姿勢を採用すればよい。これによって、ストライカ４の取り付け、ひいてはドアロック装置１全体の取り付けが大幅に容易化される。
【００２１】
ストライカ４にも取り付け穴２１が設けられており、この取り付け穴２１に対しても、必要に応じて、前記同様、ポップリベットを採用することが可能である。
【００２２】
なお、ロック穴６ａ、６ｂについては、シャフト５の挿入口側に面取り２２、２３が施されていることが好ましい。面取り２２、２３部分は、直線状の斜面に形成してもよく、丸みをつけたＲ形状に形成してもよい。面取り２２、２３を設けておくことにより、シャフト５が、穴入口部で引っ掛かることなく、容易に出し入れできるようになる。
【００２３】
ストライカに設けられるロック穴に関しては、例えば図４や図５に示すような構造を採用することもできる。すなわち、ストライカ３１（図４）、ストライカ３２（図５）に、ロック穴として、斜めに延びる長穴３３、３４を設けた構造である。このように斜めに延びる長穴からなるロック穴３３、３４とすることにより、例えばストライカ取り付け位置と本体装置取り付け位置間に段差があり、ロック穴が単なる円形断面穴では本体装置からのシャフト進退位置に対して該円形断面穴を所定位置に合わせられないか、合わせずらい場合、図４ではストライカ３１をＣ方向に移動させることによりロック穴３３のシャフト受け入れ位置をＤ方向に容易に位置調整でき、図５ではストライカ３２をＥ方向に移動させることによりロック穴３４のシャフト受け入れ位置をＦ方向に容易に位置調整できるようになる。
【００２４】
また、図４に示した斜めに延びる長穴からなるロック穴３３と図５に示した斜めに延びる長穴からなるロック穴３４を共に有する構造とすれば、図３に示した実施態様同様、ストライカの取り付け姿勢を適宜選択できるようになり、しかも同時にシャフト受け入れ位置をＤ方向やＦ方向に容易に位置調整できるようになる。
【００２５】
なお、図４、図５における３５、３６はストライカのドアフレーム等への取り付け穴を示している。これら取り付け穴３５、３６に対しても、必要に応じて、前記同様、ポップリベットを採用することが可能である。
【図面の簡単な説明】
【００２６】
【図１】本発明の一実施態様に係るドアロック装置の概略全体平面図である。
【図２】図１のドアロック装置の本体装置のドアへの取り付け構造を示す概略側面図である。
【図３】図１のドアロック装置のストライカの正面図（Ａ）および平面図（Ｂ）である。
【図４】本発明の別の実施態様に係るドアロック装置のストライカの正面図である。
【図５】本発明のさらに別の実施態様に係るドアロック装置のストライカの平面図である。
【符号の説明】
【００２７】
１  ドアロック装置
２  本体装置
３  発信器
４  ストライカ
５  シャフト
６、６ａ、６ｂ  ロック穴
７  アンテナ
８  回路
９  登録用操作孔
１０  モータ
１１  ピニオン
１２  ラック
１３  電池収納部
１４  ドア
１５  基板
１６  外板
１７  内板
１８  基板延設部
１９  取り付け穴
２０  ポップリベット
２１  ストライカの取り付け穴
２２、２３  面取り部
３１、３２  ストライカ
３３、３４  長穴からなるロック穴
３５、３６  ストライカの取り付け穴
【図１】
2005248611.tif 000003
【図２】
2005248611.tif 000004
【図３】
2005248611.tif 000005
【図４】
2005248611.tif 000006
【図５】
2005248611.tif 000007